【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
放射線を検出する放射線検出手段による放射線撮影を制御する制御装置であって、
線量計で得られる放射線の線量情報を受信する通信手段と、
前記線量情報の受信方式を示すタイプ情報を取得する取得手段と、
前記タイプ情報により前記線量情報の送り方を判定し、前記判定に応じて前記線量情報の取得を制御する制御手段と、
を備えることを特徴とする制御装置。
【請求項２】
前記制御手段は、前記タイプ情報を用いて、
静止画または動画の撮影単位で放射線の照射条件と線量情報とを出力する第１のタイプの放射線発生手段であるか、
静止画または動画の撮影が終了した後に、放射線の照射条件および全ての撮影の線量情報を加算した積算線量情報を出力する第２のタイプの放射線発生手段であるかを判定し、
前記判定に応じたタイミングで前記線量情報を取得する
ことを特徴とする請求項１に記載の制御装置。
【請求項３】
前記第１のタイプの放射線発生手段と判定された場合、前記制御手段は撮影単位で取得した線量情報を加算した線量情報を出力し、
前記第２のタイプの放射線発生手段と判定された場合、前記制御手段は取得した前記積算線量情報を出力する
ことを特徴とする請求項２に記載の制御装置。
【請求項４】
前記第１のタイプの放射線発生手段と判定された場合、前記制御手段は、前記放射線検出手段の検出結果に基づく画像に、前記撮影単位の照射条件と前記線量情報とを含めて出力することを特徴とする請求項２または３に記載の制御装置。
【請求項５】
前記第２のタイプの放射線発生手段と判定された場合、前記制御手段は、前記放射線検出手段の検出結果に基づく画像に、前記照射条件から推定した撮影単位の線量情報とを含めて出力することを特徴とする請求項２または３に記載の制御装置。
【請求項６】
同一の被検者の複数の検査についてまとめて撮影を行う場合、
前記取得手段は、前記複数の検査の終了後に前記複数の検査で行った撮影について積算線量情報を取得し、
前記制御手段は、前記取得した積算線量情報をまとめて出力することを特徴とする請求項２または３に記載の制御装置。
【請求項７】
前記制御手段は、各検査における撮影枚数または撮影フレーム数により前記積算線量情報を案分した線量情報を、各検査の終了通知とともに出力することを特徴とする請求項６に記載の制御装置。
【請求項８】
開始した検査を途中で保留にする場合、前記制御手段は、前記開始から前記保留になるまでに行った第１撮影の積算線量情報を取得し、
前記検査を再開する場合、前記制御手段は、前記再開から前記検査の終了までに行った第２撮影の積算線量情報を取得し、
前記制御手段は、前記第１撮影の積算線量情報と、前記第２撮影の積算線量情報とを加算した積算線量情報を出力する
ことを特徴とする請求項２または６に記載の制御装置。
【請求項９】
前記積算線量情報には、検査開始から検査終了までの積算面積線量、積算照射線量、積算透視時間が含まれることを特徴とする請求項２または３に記載の制御装置。
【請求項１０】
前記取得手段は、放射線情報システムから検査情報を受信し、
前記制御手段は、前記取得した線量の情報を前記検査の終了通知と共に出力することを特徴とする請求項６または７に記載の制御装置。
【請求項１１】
前記制御手段は、前記検査情報の中に、被検者を特定する識別情報が同じである検査が複数あるか否かを判定し、検査が複数あった場合、前記識別情報に基づいて複数の検査をまとめて１つの検査として表示手段に表示するための表示制御を行うことを特徴とする請求項１０に記載の制御装置。
【請求項１２】
放射線撮影を制御する制御装置であって、
複数単位の放射線照射を含む放射線撮影の検査情報を取得する取得手段と、
放射線発生手段により発生された放射線の線量を計測する線量計で得られる線量情報を受信する通信回路と、
前記通信回路により、１単位の放射線照射ごとに前記線量情報が受信される場合、前記受信される線量情報に含まれる線量値を合算する計算手段と、
１単位の放射線照射ごとに前記線量情報が受信される場合には前記計算手段により合算される値を、前記検査情報に対応する検査の合計線量値を示す情報として外部の装置に出力させ、前記通信回路により、複数単位の放射線照射を含む検査単位で前記線量情報が受信される場合、前記受信される線量情報を前記検査情報に対応する検査の合計線量値を示す情報として外部の装置に出力させる出力制御手段と、
を有することを特徴とする制御装置。
【請求項１３】
放射線を発生する放射線発生手段と、前記放射線を検出する放射線検出手段とを有する放射線撮影装置を制御する制御装置であって、
前記放射線発生手段から放射線の線量情報の送り方を示すタイプ情報を取得する取得手段と、
前記タイプ情報により前記線量情報の送り方を判定し、前記判定に応じて前記線量情報の取得を制御する制御手段と、
を備えることを特徴とする制御装置。
【請求項１４】
放射線を検出する放射線検出手段による放射線撮影を制御する制御装置の制御方法であって、
前記制御装置の通信手段が、線量計で得られる放射線の線量情報を受信する通信工程と、
前記制御装置の取得手段が、前記線量情報の受信方式を示すタイプ情報を取得する取得工程と、
前記制御装置の制御手段が、前記タイプ情報により前記線量情報の送り方を判定し、前記判定に応じて前記線量情報の取得を制御する制御工程と、
を有することを特徴とする制御装置の制御方法。
【請求項１５】
放射線撮影を制御する制御装置の制御方法であって、
前記制御装置の取得手段が、複数単位の放射線照射を含む放射線撮影の検査情報を取得する取得工程と、
前記制御装置の通信回路が、放射線発生手段により発生された放射線の線量を計測する線量計で得られる線量情報を受信する通信工程と、
前記制御装置の計算手段が、前記通信回路により、１単位の放射線照射ごとに前記線量情報が受信される場合、前記受信される線量情報に含まれる線量値を合算する計算工程と、
前記制御装置の出力制御手段が、１単位の放射線照射ごとに前記線量情報が受信される場合には前記計算手段により合算される値を、前記検査情報に対応する検査の合計線量値を示す情報として外部の装置に出力させ、前記通信回路により、複数単位の放射線照射を含む検査単位で前記線量情報が受信される場合、前記受信される線量情報を前記検査情報に対応する検査の合計線量値を示す情報として外部の装置に出力させる出力制御工程と、
を有することを特徴とする制御装置の制御方法。
【請求項１６】
放射線を発生する放射線発生手段と、前記放射線を検出する放射線検出手段とを有する放射線撮影装置を制御する制御装置の制御方法であって、
前記制御装置の取得手段が、前記放射線発生手段から放射線の線量情報の送り方を示すタイプ情報を取得する取得工程と、
前記制御装置の制御手段が、前記タイプ情報により前記線量情報の送り方を判定し、前記判定に応じて前記線量情報の取得を制御する制御工程と、
を有することを特徴とする制御装置の制御方法。
【請求項１７】
放射線を発生する放射線発生手段と、前記放射線を検出する放射線検出手段とを有する放射線撮影装置であって、
前記放射線発生手段から放射線の線量情報の送り方を示すタイプ情報を取得する取得手段と、
前記タイプ情報により前記線量情報の送り方を判定し、前記判定に応じて前記線量情報の取得を制御する制御手段と、
を備えることを特徴とする放射線撮影装置。
【請求項１８】
放射線を発生する放射線発生手段と、前記放射線を検出する放射線検出手段とを有する放射線撮影装置の制御方法であって、
前記放射線撮影装置の制御部が、前記放射線発生手段から放射線の線量情報の送り方を示すタイプ情報を取得する取得工程と、
前記放射線撮影装置の制御部が、前記タイプ情報により前記線量情報の送り方を判定し、前記判定に応じて前記線量情報の取得を制御する制御工程と、
を有することを特徴とする放射線撮影装置の制御方法。
【請求項１９】
放射線を発生する放射線発生手段と前記放射線を検出する放射線検出手段とを有する放射線撮影装置と、放射線情報システムと、画像保管通信システムと、を有することを特徴とする放射線撮影システムであって、
前記放射線情報システムは検査情報を出力し、
前記検査情報に基づき撮影を行う放射線撮影装置は、
前記放射線発生手段から放射線の線量情報の送り方を示すタイプ情報を取得する取得手段と、
前記タイプ情報により前記線量情報の送り方を判定し、前記判定に応じて前記線量情報の取得を制御する制御手段と、を備え、
前記制御手段は、前記取得した線量情報を検査の終了通知と共に前記放射線情報システムに出力し、
前記制御手段は、前記撮影により取得した画像を前記画像保管通信システムに出力する
ことを特徴とする放射線撮影システム。
【請求項２０】
コンピュータを、請求項１乃至１３のいずれか１項に記載の制御装置の各手段として機能させるためのプログラム。